(57)【特許請求の範囲】
【請求項１】
表側と、裏側と、前記裏側に設けられた装着部とを有する本体と、
前記本体に電力を供給するための２次電池と、前記２次電池と電気的に接続される制御基板と、第１の厚みを有し前記２次電池を内蔵する複数の第１の筐体部と、前記第１の厚みよりも小さい第２の厚みを有し前記制御基板を内蔵する第２の筐体部とを含み、前記裏側の前記装着部に装着されるバッテリパックであって、前記第２の筐体部が前記複数の第１の筐体部の間に配置されるように、前記複数の第１の筐体部及び前記第２の筐体部が第１の方向で直線状に並ぶバッテリパックと
を具備し、
前記本体は、前記裏側で前記バッテリパックと対向する装着面を含む前記装着部と、前記第１の方向で対向し前記装着部を挟む一対の側壁と、前記側壁にそれぞれ設けられた一対の切り欠き部と、前記装着面から突出する突出部と、前記突出部に設けられ前記装着面の平面方向で前記第１の方向と交差する第２の方向に向けて開口する係合孔とを有し、
前記バッテリパックは、前記第１の方向で前記一対の側壁とそれぞれ対向する一対の側面と、前記第１の方向で前記一対の側面からそれぞれ突出し前記バッテリパックが装着される時に前記一対の側壁に載置可能であり前記一対の切り欠き部と係合する一対の第１のボスと、前記第２の方向で突出し前記一対の第１のボスが前記一対の切り欠き部と係合した時に前記係合孔と係合する第２のボスとを有する
電子機器。
【請求項２】
請求項１に記載の電子機器であって、
前記本体に接続された表示部をさらに具備し、
前記本体は、前記表側に設けられたキーボードと、前記表示部が接続された側とは反対側で前記キーボードと隣接する複数のパームレスト部と、前記複数のパームレスト部の間に配置されるように前記複数のパームレスト部と前記第１の方向で直線状に並ぶポインティングデバイスとを有し、
前記バッテリパックは、前記複数の第１の筐体部が前記複数のパームレスト部に対応する位置にそれぞれ配置され、前記第２の筐体部が前記ポインティングデバイスに対応する位置に配置されるように、前記装着部に装着される
電子機器。
【請求項３】
請求項１又は２に記載の電子機器であって、
前記バッテリパックは、前記バッテリパックが装着された時に前記突出部を覆うカバーを有する
電子機器。
【請求項４】
請求項１から３のうちいずれか１項に記載の電子機器であって、
前記一対の切り欠き部は、前記装着部から前記バッテリパックが回転されながら取り外される時に、前記係合孔から前記第２のボスが抜ける方向に前記バッテリパックを移動させるための、前記第１のボスと当接する当接部をそれぞれ有する
電子機器。
【請求項５】
装着部を有する本体と、
前記本体に電力を供給するための２次電池と、前記２次電池と電気的に接続される制御基板と、第１の厚みを有し前記２次電池を内蔵する複数の第１の筐体部と、前記第１の厚みよりも小さい第２の厚みを有し前記制御基板を内蔵する第２の筐体部とを含み、前記装着部に装着されるバッテリパックであって、前記第２の筐体部が前記複数の第１の筐体部の間に配置されるように、前記複数の第１の筐体部及び前記第２の筐体部が所定の方向で直線状に並ぶバッテリパックと
を具備し、
前記バッテリパックは、
前記第１の筐体部及び前記第２の筐体部が並ぶ方向で設けられた複数の第１の補強部と、
前記第１の筐体部及び前記第２の筐体部が並ぶ方向と異なる方向で、前記複数の第１の補強部にそれぞれ連結される複数の第１の連結部を有し、前記複数の第１の補強部の間に配置される第２の補強部とを含む補強部材を有する
電子機器。
【請求項６】
請求項５に記載の電子機器であって、
前記複数の第１の補強部は、前記複数の第１の筐体部にそれぞれ当接され、
前記第２の補強部は、前記複数の第１の連結部に連結され前記第１の筐体部及び前記第２の筐体部が並ぶ方向に沿って設けられる第２の連結部を有し、前記第２の筐体部に当接される
電子機器。
【請求項７】
バッテリパックが装着される装着部を挟むように本体に設けられた一対の側壁に、バッテリパックの一対の側面にそれぞれ設けられた一対の第１のボスを載置し、
前記一対の第１のボスを、前記一対の側壁に沿って移動させ、
前記一対の側壁にそれぞれ設けられた一対の切り欠き部に、前記一対の第１のボスを係合させながら、前記バッテリパックを回転させ、
前記装着部の装着面から突出する突出部の、前記一対の側壁に沿った方向に向けて開口している係合孔に、前記バッテリパックの第２のボスを係合させながら、前記バッテリパックのカバーにより前記突出部を覆う
バッテリパックの装着方法。
【発明の詳細な説明】
【技術分野】
【０００１】
本発明は、ノート型パーソナルコンピュータ等の電子機器とこれに着脱可能なバッテリパックに関する。
【背景技術】
【０００２】
近年では、ノート型パーソナルコンピュータの本体に着脱可能なバッテリパックが用いられている。例えば特許文献１に記載のノート型パーソナルコンピュータでは、本体の背面にバッテリパックが着脱されるバッテリ装着部が設けられている（特許文献１の図１及び図２等参照）。
【０００３】
一方、ノート型パーソナルコンピュータの薄型化が進んでおり、例えば特許文献２では、内蔵バッテリをキーモードモジュールの下には配置せず、ノート型パーソナルコンピュータの前方側（ユーザから見た手前側）のパームレスト部の下に配置している。具体的には内蔵バッテリは、コンピュータ本体の前方側の、ポインティングデバイスの隣の位置に内蔵され、これによりコンピュータ本体の薄型化を促進している（特許文献２の図１及び図２等参照）。
【先行技術文献】
【特許文献】
【０００４】
【特許文献１】特開２００７−１１５０９１号公報
【特許文献２】特開２００９−１０４６６５号公報
【発明の概要】
【発明が解決しようとする課題】
【０００５】
しかしながら、特許文献２のノート型パーソナルコンピュータをさらに薄型にする場合、内蔵バッテリも薄型化され、内蔵バッテリの容量が小さくなってしまう。薄型化された内蔵バッテリの容量を大きくするためには、内蔵バッテリの面積を大きくしなければならず、そうするとポインティングデバイス等の他の部材と干渉してしまう。
【０００６】
以上のような事情に鑑み、本発明の目的は、ポインティングデバイス等の他の部材と干渉せずに、しかも容量を小さくさせずに薄型化できるバッテリパック、そのバッテリパックを備えた電子機器、及びバッテリパックの装着方法を提供することにある。
【課題を解決するための手段】
【０００７】
上記目的を達成するため、本発明の一形態に係る電子機器は、本体と、バッテリパックとを具備する。  
前記本体は、装着部を有する。  
前記バッテリパックは、２次電池と、制御基板と、第１の筐体部と、第２の筐体部とを含み、前記装着部に装着される。  
前記２次電池は、前記本体に電力を供給するためのものである。  
前記制御基板は、前記２次電池と電気的に接続される。  
前記第１の筐体部は、第１の厚みを有し前記２次電池を内蔵する。  
前記第２の筐体部は、前記第１の厚みよりも小さい第２の厚みを有し前記制御基板を内蔵する。
【０００８】
上記の電子機器に装着されるバッテリパックは、２次電池が内蔵される第１の筐体部と、制御基板が内蔵される第２の筐体部とを有しており、第２の筐体部の方が第１の筐体部よりも厚みが小さい。これによりバッテリパックを薄型化する際に、例えば第１の筐体部の面積を大きくすることで、面積の大きい２次電池を内蔵させることができ容量の低下を防ぐことができる。しかも厚みの小さい第２の筐体部の配置箇所を適宜設定することで、例えばポインティングデバイス等の他の部材と干渉せずに、上記のバッテリパックを電子機器に装着することができる。
【０００９】
前記バッテリパックは、複数の前記第１の筐体部を有してもよい。この場合、前記第２の筐体部が前記複数の第１の筐体部の間に配置されるように、前記複数の第１の筐体部及び前記第２の筐体部が第１の方向で直線状に並んでもよい。
【００１０】
第１の筐体部を複数設けることで、２次電池を複数内蔵させることができ容量の低下を防ぐことができる。また、電子機器の他の部材の配置箇所に応じて、上記のように第１の筐体部及び第２の筐体部の配置を適宜設定してもよい。
【００１１】
前記電子機器は、前記本体に接続された表示部をさらに具備してもよい。  
この場合、前記本体は、表側と、キーボードと、複数のパームレスト部と、ポインティングデバイスと、裏側とを有してもよい。  
前記キーボードは、前記表側に設けられる。  
前記複数のパームレスト部は、前記表示部が接続された側とは反対側で前記キーボードと隣接する。  
前記ポインティングデバイスは、前記複数のパームレスト部の間に配置されるように前記複数のパームレスト部と前記第１の方向で直線状に並ぶ。  
前記裏側には、前記装着部が設けられる。  
また、前記バッテリパックは、前記複数の第１の筐体部が前記複数のパームレスト部に対応する位置にそれぞれ配置され、前記第２の筐体部が前記ポインティングデバイスに対応する位置に配置されるように、前記裏側の前記装着部に装着されてもよい。
【００１２】
例えば一般的なノート型パーソナルコンピュータでは、前方側（ユーザから見た手前側）にポインティングデバイスが配置されることが多い。例えばこのようなノート型パーソナルコンピュータに対しても、前方側に、ポインティングデバイスと干渉しないように、本形態の薄型化されたバッテリパックを装着することができる。
【００１３】
前記本体は、装着面を含む前記装着部と、一対の側壁と、一対の切り欠き部と、突出部と、係合孔とを有してもよい。  
前記装着面は、前記裏側で前記バッテリパックと対向する。  
前記一対の側壁は、前記第１の方向で対向し前記装着部を挟む。  
前記一対の切り欠き部は、前記側壁にそれぞれ設けられる。  
前記突出部は、前記装着面から突出する。  
前記係合孔は、前記突出部に設けられ前記装着面の平面方向で前記第１の方向と交差する第２の方向に向けて開口する。  
また、前記バッテリパックは、一対の側面と、一対の第１のボスと、第２のボスとを有してもよい。  
前記一対の側面は、前記第１の方向で前記一対の側壁とそれぞれ対向する。  
前記一対の第１のボスは、前記第１の方向で前記一対の側面からそれぞれ突出し前記バッテリパックが装着される時に前記一対の側壁に載置可能であり前記一対の切り欠き部と係合する。  
前記第２のボスは、前記第２の方向で突出し前記一対の第１のボスが前記一対の切り欠き部と係合した時に前記係合孔と係合する。
【００１４】
上記の電子機器では、装着面から突出する突出部の係合孔に、バッテリパックの第２のボスが係合される。本形態では、バッテリパックの一対の側面に設けられた一対の第１のボスが本体の一対の側壁上に載置可能であり、この側壁に沿って第１のボスを移動させる。そして第１のボスが側壁に設けられた一対の切り欠き部に係合した時に、係合孔と第２のボスとが係合される。これにより、係合孔と第２のボスとを係合させるための、第２のボスの位置合わせが容易となり、薄型化されたバッテリパックを容易に装着部に装着することができる。
【００１５】
前記バッテリパックは、前記バッテリパックが装着された時に前記突出部を覆うカバーを有してもよい。
【００１６】
例えば、突出部の係合孔と第２のボスとを係合させるために、装着面上でバッテリパックを移動させた場合、上記のカバーが突出部と接触してしまい、係合孔と第２のボスとが係合されない場合がある。しかしながら本形態では一対の第１のボスが一対の側壁に載置されるので、カバーが装着面に対して上方に位置することになる。これにより、カバーと突出部との接触を避けることができ、スムーズに係合孔と第２のボスとを係合することができ、またカバーにより突出部を覆うことができる。
【００１７】
前記一対の切り欠き部は、前記装着部から前記バッテリパックが回転されながら取り外される時に、前記係合孔から前記第２のボスが抜ける方向に前記バッテリパックを移動させるための、前記第１のボスと当接する当接部をそれぞれ有してもよい。
【００１８】
例えば装着部からバッテリパックを回転させながら取り外す場合、係合孔に係合した第２のボスが、回転方向で係合孔に引っ掛かってしまう場合がある。しかしながら本形態では、バッテリパックが回転する際に切り欠き部の当接部に第１のボスが当接し、係合孔から第２のボスが抜ける方向にバッテリパックを移動させる。これにより、回転方向での係合孔と第２のボスとの引っ掛かりを防ぐことができる。
【００１９】
前記バッテリパックは、補強部材を有してもよい。  
前記補強部材は、複数の第１の補強部と、第２の補強部とを含む。  
前記複数の第１の補強部は、前記第１の筐体部及び前記第２の筐体部が並ぶ方向で設けられる。  
前記第２の補強部は、複数の第１の連結部を有し、前記複数の第１の補強部の間に配置される。  
前記複数の第１の連結部は、前記第１の筐体部及び前記第２の筐体部が並ぶ方向と異なる方向で、前記複数の第１の補強部にそれぞれ連結される。
【００２０】
この補強部材により、薄型化されたバッテリパックを第１の筐体部及び第２の筐体部が並ぶ方向で補強することができる。また第２の補強部材の第１の連結部により、第１の筐体部及び第２の筐体部が並ぶ方向を軸とした捻り方向でもバッテリパックを補強することができる。
【００２１】
前記複数の第１の補強部は、前記複数の第１の筐体部にそれぞれ当接されてもよい。  
この場合、前記第２の補強部は、第２の連結部を有し、前記第２の筐体部に当接されてもよい。  
前記第２の連結部は、前記複数の第１の連結部に連結され前記第１の筐体部及び前記第２の筐体部が並ぶ方向に沿って設けられる。
【００２２】
第２の筐体部は第１の筐体部よりも厚みが小さいので、第１の筐体部と比べて変形しやすい。この第２の筐体部に、第１の連結部及び第２の連結部を有する第２の補強部が当接されることで、バッテリパックを効果的に補強することができる。
【００２３】
本発明の一形態に係るバッテリパックの装着方法は、バッテリパックが装着される装着部を挟むように本体に設けられた一対の側壁に、バッテリパックの一対の側面にそれぞれ設けられた一対の第１のボスを載置することを含む。  
前記一対の第１のボスは、前記一対の側壁に沿って移動される。  
前記一対の側壁にそれぞれ設けられた一対の切り欠き部に、前記一対の第１のボスを係合させながら、前記バッテリパックが回転される。  
前記装着部の装着面から突出する突出部の、前記一対の側壁に沿った方向に向けて開口している係合孔に、前記バッテリパックの第２のボスが係合されながら、前記バッテリパックのカバーにより前記突出部が覆われる。  
これにより、薄型化されたバッテリパックを容易に装着部に取り付けることができる。
【００２４】
本発明の一形態に係るバッテリパックは、２次電池と、制御基板と、第１の筐体部と、第２の筐体部とを具備する。  
前記制御基板は、前記２次電池と電気的に接続される。  
前記第１の筐体部は、第１の厚みを有し前記２次電池を内蔵する。  
前記第２の筐体部は、前記第１の厚みよりも小さい第２の厚みを有し前記制御基板を内蔵する。
【００２５】
本発明の他の形態に係るバッテリパックは、２次電池と、制御基板と、２つの第１の筐体部と、第２の筐体部とを具備する。  
前記制御基板は、前記２次電池と電気的に接続される。  
前記２つの第１の筐体部は、第１の厚みを有し、少なくとも１つが前記２次電池を内蔵する。  
前記第２の筐体部は、前記２つの第１の筐体部の間に配置され、前記第１の厚みよりも小さい第２の厚みを有し前記制御基板を内蔵する。
【００２６】
これにより厚みの小さい第２の筐体部の配置箇所を適宜設定することで、例えばポインティングデバイス等の他の部材と干渉せずに、上記のバッテリパックを電子機器に装着することができる。
【００２７】
前記バッテリパックは、前記第２の筐体部に配置され前記制御基板と電気的に接続されたコネクタ部をさらに具備してもよい。
【００２８】
本発明の他の形態に係るバッテリパックは、表側にポインティングデバイスが設けられたノート型パーソナルコンピュータの、前記ポインティングデバイスの裏側に装着されるバッテリパックであって、２次電池と、筐体とを具備する。  
前記筐体は、２つの電池収容部と、凹部とを有する。  
前記２つの電池収容部は、少なくとも１つが前記２次電池を内蔵する。  
前記凹部は、前記２つの電池収容部の間に設けられ、前記ポインティングデバイスの裏側の部分に対応する。
【００２９】
このバッテリパックには、ポインティングデバイスの裏側の部分に対応する凹部が設けられる。これにより例えばポインティングデバイスの裏側に、ポインティングデバイスを作動させるための基板等が設けられる場合でも、その基板等を上記凹部に配置することができる。従って本形態のバッテリパックを、ポインティングデバイスと干渉しないように、ポインティングデバイスの裏側に装着することができる。
【００３０】
前記バッテリパックは、前記２次電池と電気的に接続される制御基板をさらに具備してもよい。この場合前記筐体は、前記凹部に前記制御基板を内蔵する。また前記バッテリパックは、前記制御基板と電気的に接続されたコネクタ部をさらに具備してもよい。
【発明の効果】
【００３１】
以上のように、本発明によれば、ポインティングデバイス等の他の部材と干渉せずに、しかも容量を小さくさせずに薄型化できるバッテリパック、そのバッテリパックを備えた電子機器、及びバッテリパックの装着方法を提供することができる。
【図面の簡単な説明】
【００３２】
【図１】本発明の一実施形態に係る電子機器の開いた状態を示す模式的な斜視図である。
【図２】図１に示す電子機器の閉じた状態を示す模式的な斜視図である。
【図３】図１に示す電子機器の模式的な底面図である。
【図４】図３に示す本体の裏側からバッテリパックが取り外された状態の模式的な斜視図である。
【図５】図４に示す一対の側壁の前方側を示す模式的な部分拡大図である。
【図６】図４に示す装着部の前方側を、側壁側から見た側面図である。
【図７】図６に示す突出部の模式的な斜視図である。
【図８】図４に示す装着部の後方側に位置する後方面を、第２の方向（図４に示すＸ方向）で見た正面図である。
【図９】本発明の一実施形態に係るバッテリパックを示す模式的な斜視図である。
【図１０】図９に示すバッテリパックを開いた状態の模式的な斜視図である。
【図１１】図９に示す側面の前方側を示す模式的な部分拡大図である。
【図１２】図９に示す側面側から見たバッテリパックの前方側を示す側面図である。
【図１３】図９に示すＡ−Ａ線断面図の前方側を示す図である。
【図１４】図９に示す補強部材を示す模式的な図である。
【図１５】図９に示すバッテリパックの後方側の後方面を示す正面図である。
【図１６】本発明の一実勢形態に係るバッテリパックの装着方法を説明するための図である。
【図１７】図１６に示すバッテリパックが装着される動作を、側壁側から見た側面図である。
【図１８】図１６に示すバッテリパックが装着される動作を、側壁側から見た側面図である。
【図１９】図１６に示すバッテリパックが装着される動作を、側壁側から見た側面図である。
【図２０】比較例として挙げる、第１のボスが設けられていないバッテリパックを示す図である。
【図２１】図１６に示すバッテリパックが装着された際の、本体の後方面を示す正面図である。
【図２２】図３に示すバッテリパックが取り外される動作を、側壁側から見た側面図である。
【図２３】図３に示すバッテリパックが取り外される動作を、側壁側から見た側面図である。
【図２４】図３に示すバッテリパックが取り外される動作を、側壁側から見た側面図である。
【図２５】比較例として挙げる、第１のボスが設けられていないバッテリパックを示す図である。
【図２６】図１０に示すバッテリパックの変形例を示す図である。
【図２７】図９に示すバッテリパックの変形例を示す図である。
【図２８】図１４に示す補強部材の変形例を示す図である。
【発明を実施するための形態】
【００３３】
以下、図面を参照しながら、本発明の実施形態を説明する。
【００３４】
本発明の一実施形態に係る電子機器について説明する。本実施形態では、電子機器としてノート型パーソナルコンピュータを一例に挙げて説明する。
【００３５】
＜電子機器の構成＞
図１は、本実施形態に係る電子機器の開いた状態を示す模式的な斜視図である。図２は、図１に示す電子機器の閉じた状態を示す模式的な斜視図である。電子機器１００は、本体１と、本体１に接続された表示部２とを有している。本体１及び表示部２はヒンジ３を介して接続され、図１及び図２に示すように表示部２が本体１に対して開閉（折り畳み）可能である。電子機器１００が閉じた状態となった時に、表示部２と向き合う側が本体１の表側４である。
【００３６】
図１に示すように、本体１の表側４には、キーボード５と、パームレスト部６ａ及び６ｂと、パームレスト部６ａ及び６ｂの間に配置されたポインティングデバイス７とが設けられる。キーボード５に対して、表示部２が接続された側の反対側に、パームレスト部６ａ、６ｂ及びポインティングデバイス７が配置される。以後、表示部２が接続された側を後方側２０とし、その反対側を前方側１０とする。
【００３７】
パームレスト部６ａ、６ｂ及びポインティングデバイス７はキーボード５と隣接しており、ポインティングデバイス７が表側４の前方側１０の略中央に位置するように、第１の方向（図１に示すＹ方向）で直線状に並んでいる。
【００３８】
本実施形態では、ポインティングデバイス７としてタッチパッド７’が設けられており、タッチパッド７’に隣接する位置にはクリック用のボタン７"が配置されている。ポインティングデバイス７として、例えばトラックボール等の他のデバイスが用いられてもよい。
【００３９】
図３は、図１に示す電子機器１００の模式的な底面図である。図３に示すように本体１の裏側８にはバッテリパック９が装着される。バッテリパック９は、裏側８であって本体１の前方側１０に装着される。すなわち、本体１の表側４に設けられたパームレスト部６ａ、６ｂ、及びポインティングデバイス７に対応する位置に装着される。
【００４０】
本体１の裏側８には、装着されたバッテリパック９と係合するリリース部１１と、ロック部１２ａ及び１２ｂとが設けられる。リリース部１１は、本体１の裏側８の略中央に設けられ、ロック部１２ａ及び１２ｂは、本体１の両側面１３ａ及び１３ｂの近傍にそれぞれ設けられる。バッテリパック９の裏側面１４には、電子機器１００が例えば机等に載置される際にクッションとなるクッション部１５が複数設けられる。
【００４１】
図４は、本体１の裏側８からバッテリパック９が取り外された状態の模式的な斜視図である。図４に示すように、以降の説明では、表示部２の図示を省略して説明する。
【００４２】
図４に示すように、本体１の裏側８には装着部１６が設けられており、この装着部１６にバッテリパック９が装着される。装着部１６は、バッテリパック９が装着された際にバッテリパック９と対向する装着面１７を有する。装着面１７の前方側１０には、装着面１７から突出する突出部１８が複数設けられる。
【００４３】
装着部１６は、装着面１７の略中央に位置するセンター部分２１と、センター部分２１を間に挟むサイド部分２２ａ及び２２ｂとを有する。センター部分２１とサイド部分２２ａ及び２２ｂとは、第１の方向（図４に示すＹ方向）で直線状に並び、センター部分２１の位置が本体１の表側４に設けられたポインティングデバイス７の位置に対応している。また２つのサイド部分２２ａ及び２２ｂの各位置が、表側４に設けられたパームレスト部６ａ及び６ｂの位置にそれぞれ対応している。センター部分２１には、凸部１９が設けられる。
【００４４】
また図４に示すように、本体１の前方側１０の縁２３には、カードスロット２４が設けられる。カードスロット２４は、前方側１０の縁２３の略中央に設けられ、横に並ぶように配置された２つのスロット孔２４’を有する。このカードスロット２４を介して、例えばメモリースティックやＳＤカード等のメモリーカードが本体１内に挿入される。スロット孔２４’の数や配置の仕方は特に限定されないが、本実施形態では、２つのスロット孔２４’が横に並ぶように配置されるので、本体１の薄型化に有利である。
【００４５】
上記のカードスロット２４を介して挿入されたカードを収容する図示しないカード収容部や、表側４のポインティングデバイス７を作動させるための図示しない基板等が、装着面１７のセンター部分２１に設けられた凸部１９内に配置される。なお前方側１０の縁の略中央ではなく、本体１の他の部分にカードスロット２４が設けられてもよい。この場合、凸部１９内には上記カード収容部は配置されず、ポインティングデバイス７の基板等が配置される。
【００４６】
装着部１６は、図４に示すように、第１の方向（Ｙ方向）で対向する一対の側壁２６ａ及び２６ｂに挟まれる。本実施形態では、本体１の両側面１３ａ及び１３ｂの間にわたって、第１の方向（Ｙ方向）で装着部１６が設けられる。従って両側面１３ａ及び１３ｂの装着部１６が設けられた位置に対応する部分が、一対の側壁２６ａ及び２６ｂとなる。一対の側壁２６ａ及び２６ｂは、装着面１７の表面方向であって第１の方向に直行する第２の方向（図４に示すＸ方向）にそれぞれ延在する。
【００４７】
図５は、一対の側壁２６ａ及び２６ｂの前方側１０を示す模式的な部分拡大図である。図５（Ａ）は、図４で示す側壁２６ｂの前方側１０を拡大して示す斜視図であり、図５（Ｂ）は、図４で示す側壁２６ａの前方側１０を、第１の方向（Ｙ方向）で装着部１６側から見た側面図である。
【００４８】
図５（Ａ）及び（Ｂ）に示すように、一対の側壁２６ａ及び２６ｂの前方側１０には、切り欠き部２７ａ及び２７ｂがそれぞれ設けられる。これら一対の切り欠き部２７ａ及び２７ｂは、本体１の裏側８に相当する、各側壁２６ａ及び２６ｂの上面２９ａ及び２９ｂに向けて開口している。また一対の切り欠き部２７ａ及び２７ｂは、各側壁２６ａ及び２６ｂの装着部１６側である内面２８ａ及び２８ｂに向けても開口している。本実施形態では、内面２８ａ及び２８ｂに、切り欠き部２７ａ及び２７ｂと同様な形状の切り欠きが形成されたプレート７２が設けられている。
【００４９】
図５（Ｂ）に示すように、切り欠き部２７ａの形状は、略Ｕ字状となっている。切り欠き部２７ａの前方側１０には、後に説明するバッテリパック９の第１のボスと当接する当接部３０が設けられる。当接部３０は、側壁２６ａの上面２９ａ側に設けられ、前方側１０から後方側２０へ向けて突出している。切り欠き部２７ａの後方側２０であって、側壁２６ａの上面２９ａ側には、上面２９ａから装着面１７に向かう方向に平面部３１が設けられている。平面部３１からは装着面１７側に斜めに延びるテーパ面３２が設けられる。側壁２６ｂに設けられたもう一方の切り欠き部２７ｂも同様な形状を有している。
【００５０】
図６は、図４に示す装着部１６の前方側１０を、側壁２６ｂ側から見た側面図である。図６では、説明を分かりやすくするために、側壁２６ｂの図示が省略されている。従って図６では上記で説明したカードスロット２４や、側壁２６ｂの反対側の側壁２６ａが図示されている。図７は、図６に示す突出部１８の模式的な斜視図である。
【００５１】
図６に示すように、装着面１７から突出する突出部１８は、本体１の前方側１０で第１の方向（図４に示すＹ方向）に直線状に並んで設けられる。また図７に示すように、各突出部１８には、係合孔３３が設けられている。係合孔３３は、側壁２６ａ及び２６ｂが延在する方向である第２の方向（図４に示すＸ方向）であって、図６に示す前方側１０から後方側２０に向けて開口している。
【００５２】
本実施形態では突出部１８の前方側１０に、テーパ部３４が形成されるが、突出部１８の形状は特に限定されない。また係合孔３３の開口の形状も特に限定されず、例えば開口の形状として矩形状、円形状、又は多角形状等が挙げられる。
【００５３】
図８は、図４に示す装着部１６の後方側２０に位置する後方面３５を、第２の方向（図４に示すＸ方向）で見た正面図である。後方面３５には、上記したリリース部１１と、ロック部１２ａ及び１２ｂとが設けられる。
【００５４】
図８（Ａ）に示すように、後方面３５の略中央に設けられるリリース部１１は、リリースレバー３６とリリースボス３７とを有する。リリースレバー３６及びリリースボス３７は一体的に移動可能となっている。リリースレバー３６及びリリースボス３７は、図８（Ａ）で見て右側に、本体１の内部に設けられた図示しないバネ等の弾性部材により付勢されており、手動により左側に移動可能となっている。リリースボス３７にはテーパ面４０が設けられており、テーパ面４０はリリースボス３７が付勢される側（右側）に設けられる。
【００５５】
また図８（Ａ）に示すように、リリース部１１の近傍には、コネクタ部３９が設けられており、このコネクタ部３９にバッテリパック９のコネクタ部が接続されることで、電子機器１００に電力が供給される。
【００５６】
図８（Ｂ）に示すように、本体１の側面１３ａの近傍に設けられるロック部１２ａは、テーパ面４３を有するロックボス４１とロックレバー４２とを有している。ロックボス４１及びロックレバー４２は一体的に移動可能である。ロックボス４１及びロックレバー４２は、図８（Ｂ）で見て右側及び左側に、手動で移動される。もう一方の側面１３ｂの近傍に設けられるロック部１２ｂも、ロック部１２ａと同様な構造である。
【００５７】
図９は、本実施形態のバッテリパック９を示す模式的な斜視図である。図９では、本体１の装着部１６に装着された際に、装着面１７と対向する下面４４側から見たバッテリパック９が図示されている。図９に示すバッテリパック９の前方側１０は、装着部１６に装着された際に本体１の前方側１０となる側である。
【００５８】
図９に示すように、バッテリパック９は筐体状でなり、第１の筐体部４５ａ及び４５ｂと、第１の筐体部４５ａ及び４５ｂの間に配置された第２の筐体部４６とを有する。第１の筐体部４５ａ、４５ｂ、及び第２の筐体部４６は、図９に示すＹ方向で、直線状に並んでいる。
【００５９】
第２の筐体部４６の厚みと、第１の筐体部４５ａ及び４５ｂの厚みとを比べると、第２の筐体部４６の厚みの方が小さい。従って図９に示すように、第２の筐体部４６が配置されるバッテリパック９の略中央は凹んだ形状となる。すなわち本実施形態のバッテリパック９は、第２の筐体部４６に対応した凹部４６’を有することになる。厚みが小さい第２の筐体部４６は、第１の筐体部４５ａ及び４５ｂよりも厚みが小さい収容部４７と、収容部４７よりも厚みが小さいスペース部７３とを有する。
【００６０】
またバッテリパック９は、一対の側面４８ａ及び４８ｂを有する。一対の側面４８ａ及び４８ｂは、第１の筐体部４５ａ、４５ｂ及び第２の筐体部４６が並ぶ方向と直行する方向（図９に示すＸ方向）に延在する。側面４８ａの前方側１０には第１のボス４９ａが設けられ、図９には図示されないが、もう一方の側面４８ｂにも第１のボス４９ａと対になる第１のボス４９ｂが設けられる。
【００６１】
バッテリパック９の前方側１０には、一対の側面４８ａ及び４８ｂの延在方向で突出する第２のボス５０が、複数設けられる。またバッテリパック９の前方側１０には、バッテリパック９を補強する棒状の補強部材５１が設けられる。
【００６２】
図１０は、図９に示すバッテリパック９を開いた状態の模式的な斜視図である。本実施形態のバッテリパック９は、図１０（Ａ）に示すように、収容板７５及び蓋板７６からなる。収容板７５は、第１の筐体部４５ａ及び４５ｂの内部となる領域７７ａ及び７７ｂと、第２の筐体部４６の内部となる領域７８とを有する。領域７８に対応する蓋板７６の中央部分は、図９で示す収容部４７及びスペース部７３に分けられる。
【００６３】
領域７７ａ及び７７ｂには、本体１に電力を供給するための、例えばリチウムイオン電池やリチウムポリマー電池等の２次電池５２ａ及び５２ｂがそれぞれ収容される。領域７８には、２次電池５２ａ及び５２ｂからの電力供給を制御する制御基板５３と、２次電池５２ａ及び５２ｂと制御基板５３とを電気的に接続する配線板金５４とが収容される。
【００６４】
すなわち、蓋板７６が閉じられた際には、第１の筐体部４５ａ及び４５ｂの内部に２次電池５２ａ及び５３ｂがそれぞれ内蔵されることになる。つまり本実施形態の第１の筐体部４５ａ及び４５ｂは、電池収容部４５’ａ及び４５’ｂに相当する。
【００６５】
また第２の筐体部４６の内部には、制御基板５３及び配線板金５４が内蔵されることになる。つまりバッテリパック９の凹部４６’に当たる部分の内部に、制御基板５３及び配線板金５４が収容されることになる。図１０に示すように、制御基板５３及び配線板金５４は、第２の筐体部４６の収容部４７に内蔵されるように、収容板７５に収容される。
【００６６】
このように第１の筐体部４５ａ及び４５ｂ（電池収容部４５’ａ及び４５’ｂ）には２次電池５２ａ及び５２ｂが内蔵され、第２の筐体部４６（凹部４６’）には制御基板５３及び配線板金５４が内蔵される。これにより第１の筐体部４５ａ及び４５ｂに比べて第２の筐体部４６の厚みを小さくすることができる。従って、例えば薄型化されたバッテリパック９の第１の筐体部４５ａ及び４５ｂの面積を大きくすることで、面積の大きい２次電池５２ａ及び５２ｂを内蔵させることができ、バッテリパック９の容量の低下を防ぐことができる。また本実施形態のように、第１の筐体部４５ａ及び４５ｂが複数設けられることで、複数の２次電池５２ａ及び５２ｂを内蔵することができる。しかも、上記のように第１の筐体部４５ａ及び４５ｂの面積を大きくしたり、又は第１の筐体部の数を多くしても、厚みの小さい第２の筐体部４６の配置箇所を適宜設定することで、例えばポインティングデバイス７等の他の部材と干渉せずに、バッテリパック９を電子機器１００に装着することができる。
【００６７】
本実施形態では、第２の筐体部４６が間に配置されるように、第１の筐体部４５ａ、４５ｂ、及び第２の筐体部４６が直線状に並んでいる。そして図３に示すように、本体１の表側４に設けられた、直線状に並ぶパームレスト部６ａ、６ｂ及びポインティングデバイス７の裏側８に相当する部分に、バッテリパック９が装着される。
【００６８】
第１の筐体部４５ａ及び４５ｂは装着面１７のサイド部分２２ａ及び２２ｂに、すなわち表側４に設けられたパームレスト部６ａ及び６ｂに対応した位置にそれぞれ配置される。第２の筐体部４６は装着部１６のセンター部分２１に、すなわち表側４に設けられたポインティングデバイス７に対応する位置に配置される。図４に示すように、装着部１６のセンター部分２１には、凸部１９が設けられている。
【００６９】
すなわち本実施形態では、本体１に設けられたポインティングデバイス７及びカードスロット２４に対応した位置に、厚みの小さい第２の筐体部４６が配置される。言い換えると、ポインティングデバイス７の裏側の凸部１９に対応するように、バッテリパック９の凹部４６’が設けられる。そして凹部４６’に凸部１９が配置されるように、バッテリパック９が装着される。これにより薄型化したバッテリパック９を本体１の前方側１０に装着することができ、本体１の薄型化が実現される。
【００７０】
また本実施形態では、第２の筐体部４６に、収容部４７と収容部４７よりも厚みが小さいスペース部７３が設けられている。そしてバッテリパック９が装着部１６に装着された際に、装着部１６のセンター部分２１にある凸部１９が、スペース部７３に対応した位置に配置される。これにより第２の筐体部４６の収容部４７と、装着部１６の凸部１９とが重ならないように配置されることになり、さらに本体１の薄型化が実現される。
【００７１】
一般的なノート型パーソナルコンピュータでは、ポインティングデバイスは、前方側（ユーザから見た手前側）の中央に配置されることが多い。上記で説明したように、そのようなノート型パーソナルコンピュータに対して、本実施形態の薄型化されたバッテリパック９を、前方側に、ポインティングデバイスと干渉しないように装着することができる。
【００７２】
図１１は、側面４８ａの前方側１０を示す模式的な部分拡大図である。図１２は、側面４８ａ側から見たバッテリパック９の前方側１０を示す側面図である。また図１３は、図９に示すＡ−Ａ線断面図の前方側１０を示す図である。
【００７３】
図１１及び図１２に示すように、第１のボス４９ａは、側面４８ａの延在方向に直行する方向で、側面４８ａから突出している。第１のボス４９ａは、前方側１０に平面部５５を有しており、後方側２０に曲面部５６を有している。もう一方の側面４８ｂに設けられた第１のボス４９ｂも、同様の形状を有している。
【００７４】
図１２に示すように、第２のボス５０は、第１の筐体部４５ａ及び４５ｂの前方側１０であって、第１の筐体部４５ａの下面４４側に設けられる。第２のボス５０は、側面４８ａの延在方向に突出する。
【００７５】
また図１２及び図１３に示すように、バッテリパック９の前方側１０には、バッテリパック９の下面４４の反対側の上面５７（図３で示す裏側面１４に相当）から、下面４４側に向けて斜めに延びるカバー５８が設けられる。カバー５８の先端５９と、第２のボス５０とは、上面５７に対して略等しい高さに位置する。カバー５８と、第１の筐体部４５ａ、４５ｂ、及び第２の筐体部４６との間には、棒状の補強部材５１が設けられる。補強部材５１は、第１の筐体部４５ａ、４５ｂ、及び第２の筐体部４６の前方側１０に設けられた止め部５９により固定される。
【００７６】
図１４は、補強部材５１を示す模式的な図である。図１４に示すように、補強部材５１は、第１の筐体部４５ａ及び４５ｂにそれぞれ当接される第１の補強部６１ａ及び６１ｂと、第２の筐体部４６に当接される第２の補強部６２とを有する。第２の補強部６２は、第１の補強部６１ａ及び６１ｂの間に配置され、第１の補強部６１ａ及び６１ｂにそれぞれ連結される。これにより本実施形態では、第１の補強部６１ａ、６１ｂ及び第２の補強部６２が一体的な構造となる。
【００７７】
第１の補強部６１ａ及び６１ｂは、第１の筐体部４５ａ、４５ｂ及び第２の筐体部４６が並ぶ方向に沿って延在している。第２の補強部６２は、その方向と異なる方向で第１の補強部６１ａ及び６１ｂとそれぞれ連結される第１の連結部６３ａ及び６３ｂを有する。また第２の補強部６２は、第１の連結部６３ａ及び６３ｂに連結される第２の連結部６４を有する。第２の連結部６４は、第１の補強部６１ａ及び６１ｂが設けられる方向で、第２の筐体部４６に当接される。
【００７８】
上記の補強部材５１がバッテリパック９に設けられることで、第１の筐体部４５ａ、４５ｂ、及び第２の筐体部４６が並ぶ方向で、バッテリパック９を補強することができる。また第１の補強部６１ａ及び６１ｂには、第１の補強部６１ａ及び６１ｂが設けられる方向と異なる方向で、第１の連結部６３ａ及び６３ｂがそれぞれ連結される。これにより、第１の筐体部４５ａ、４５ｂ及び第２の筐体部４６が並ぶ方向を軸とした捻り方向でも、バッテリパック９を補強することができる。
【００７９】
本実施形態のバッテリパック９は薄型化が可能であり、薄型化されると例えば外力等が加えられた場合に変形しやすくなってしまう可能性がある。しかしながら上記のような補強部材５１によりバッテリパック９を補強することで、バッテリパック９の変形を防ぐことができる。
【００８０】
補強部材５１としては、典型的にはステンレスや鉄等の金属棒が用いられる。本実施形態では、第１の筐体部４５ａ及び４５ｂに第１の補強部６１ａ及び６１ｂがそれぞれ当接され、第２の筐体部４６に第２の補強部６２が当接されるがそれに限られない。しかしながら、第２の筐体部４６は第１の筐体部４５ａ及び４５ｂよりも厚みが小さいので、第１の筐体部４５ａ及び４５ｂと比べて変形しやすい。従って第２の筐体部４６に、第１の連結部６３ａ、６３ｂ及び第２の連結部６４を有する第２の補強部６２が当接されることで、バッテリパック９を効果的に補強することができる。
【００８１】
図１５は、図９に示すバッテリパック９の後方側２０の後方面６６を示す正面図である。図１５（Ａ）は、後方面６６の略中央を示す図である。図１５（Ｂ）は、後方面６６の、側面４８ａ側を示す図である。
【００８２】
図１５（Ａ）に示すように、後方面６６の略中央には、リリース係合ボス６７とコネクタ部６８が設けられる。リリース係合ボス６７は上面５７側から下面４４側に向けて形成され、後方面６６に固定される。リリース係合ボス６７の下面４４側には、テーパ面６９が設けられる。コネクタ部６８は、第２の筐体部４６に内蔵された制御基板５３と電気的に接続される。従ってコネクタ部６８は、後方面６６の第２の筐体部４６（凸部４６’）に対応する位置に設けられる。しかしながらコネクタ部６８が後方面６６の他の位置に設けられてもよい。
【００８３】
図１５（Ｂ）に示すように、後方面６６の側面４８ａ側には、ロック係合ボス７０が設けられる。ロック係合ボス７０も上面５７側から下面４４側に向けて形成され、後方面６６に固定される。ロック係合ボス７０の下面４４側にも、テーパ面７１が設けられる。
【００８４】
［バッテリパックの装着方法］
本実施形態のバッテリパック９を装着部１６に装着する方法を説明する。図１６は、バッテリパック９の装着方法を説明するための図である。図１６では、図９に示す上面５７側から見たバッテリパック９が図示されている。図１６（Ａ）はバッテリパック９及び本体１の全体図であり、図１６（Ｂ）は、側壁２６ｂの前方側１０を示す部分拡大図である。
【００８５】
図１６（Ａ）及び（Ｂ）に示すように、装着部１６を挟む一対の側壁２６ａ及び２６ｂの各上面２９ａ及び２９ｂ上に、バッテリパック９の側面４８ａ及び４８ｂに設けられた一対の第１のボス４９ａ及び４９ｂがそれぞれ載置される。そして、側壁２６ａ及び２６ｂに沿って、バッテリパック９が前方側１０へ移動される。図１６（Ａ）に示すように、バッテリパック９は、側壁２６ａ及び２６ｂに対して斜めに（角度αで）載置される。
【００８６】
図１６（Ｂ）に示すように、側面４８ｂに設けられた第１のボス４９ｂは、後方側２０に曲面部５６を有しており、この曲面部５６が側壁２６ｂ上に載置される。従って側壁２６ａ及び２６ｂに対してバッテリパック９が所定の角度で固定されなくとも、バッテリパック９を側壁２６ａ及び２６ｂ上でスムーズに移動させることができる。例えばバッテリパック９が移動される際に、図１６（Ａ）及び（Ｂ）に示す角度αが変動してもよい。従って本実施形態の薄型化されたバッテリパック９を装着部１６に装着させる際の作業性がよい。
【００８７】
図１７〜図１９は、バッテリパック９が装着される動作を、側壁２６ｂ側から見た側面図である。図１７〜図１９の各図Ａでは、説明を分かりやすくするために、側壁２６ｂの全体ではなく、側壁２６ｂの内面２８ｂに設けられたプレート７２が図示されている。図１７〜図１９の各図Ｂでは、各図Ａの状態における装着部１６及びバッテリパック９の位置関係を説明するために、側壁２６ｂ（プレート７２）は省略して図示されている。各図Ｂの一点鎖線は側壁２６ｂの上面２９ｂの位置を示している。
【００８８】
図１７（Ａ）及び（Ｂ）は、第１のボス４９ｂが、切り欠き部２７ｂの位置に移動する直前を示す図である。第１のボス４９ｂが側壁２６ｂの上面２９ｂに載置されるので、装着面１７に対してバッテリパック９は上方に位置し、カバー５８も装着面１７に対して上方に位置する。図１７（Ｂ）に示すように、装着部１６の前方側１０には、装着面１７から突出する突出部１８が設けられている。図１７（Ａ）及び（Ｂ）に示す状態では、カバー５８の先端５９は突出部１８の上面７４よりも上方に位置する。
【００８９】
図１８（Ａ）及び（Ｂ）に示すように、第１のボス４９ｂが前方側１０に移動されながら、切り欠き部２７ｂ内に嵌り込む。第１のボス４９ｂが切り欠き部２７ｂ内に嵌り込むことで、バッテリパック９は装着面１７の方へ移動され、バッテリパック９のカバー５８が突出部１８の方へ移動される。この際、カバー５８の先端５９が突出部１８の上面７４の上方を通って、突出部１８のテーパ部３４の前方側１０へ移動される。従ってカバー５８は、突出部１８を覆うように、突出部１８の方へ移動される。
【００９０】
また図１８（Ａ）に示すように、第１のボス４９ｂの前方側１０に設けられた平面部５５が、切り欠き部２７ｂの当接部３０に当接する。平面部５５及び当接部３０が当接された後は、バッテリパック９を前方側１０に移動させる力が、第１のボス４９ｂを回転させる力に変わる（図１８（Ａ）に示す矢印参照）。これによりバッテリパック９が回転方向においてガイドされる。
【００９１】
図１９（Ａ）及び（Ｂ）は、装着部１６にバッテリパック９が装着された状態を示す図である。第１のボス４９ｂと切り欠き部２７ｂとが係合され、第１のボス４９ｂが切り欠き部２７ｂ内に固定される。本実施形態では、第１のボス４９ｂの平面部５５と、切り欠き部２７ｂの当接部３０とが当接された状態で、第１のボス４９ｂは固定される。また図１９（Ｂ）に示すように、突出部１８の係合孔３３とバッテリパック９の前方側１０に設けられた第２のボス５０とが係合される。そして突出部１８は、バッテリパック９のカバー５８に覆われる。
【００９２】
本実施形態では、バッテリパック９の一対の側面４８ａ及び４８ｂに設けられた一対の第１のボス４９ａ及び４９ｂが、本体１の一対の側壁２６ａ及び２６ｂ上に載置可能である。第１のボス４９ａ及び４９ｂは、側壁２６ａ及び２６ｂに沿って移動される。また第１のボス４９ａ及び４９ｂが側壁２６ａ及び２６ｂに設けられた一対の切り欠き部２７ａ及び２７ｂに係合される。この際に装着面１７から突出する突出部１８の係合孔３３と第２のボス５０とが係合される。従って係合孔３３と第２のボス５０とを係合させるための、第２のボス５０の位置合わせが容易となり、薄型化されたバッテリパック９を容易に装着部１６に装着することができる。
【００９３】
ここでバッテリパック９の側面４８ａ及び４８ｂに、第１のボス４９ａ及び４９ｂが設けられていない場合を考える。図２０は、比較例として挙げる、第１のボス４９ａ及び４９ｂが設けられていないバッテリパック２０９を示す図である。
【００９４】
例えば、図２０に示すように、突出部１８の係合孔３３と、バッテリパック２０９の第２のボス２５０とを係合させるために、装着面１７上でバッテリパック２０９を移動させる。この場合バッテリパック２０９のカバー２５８の先端２５９が、突出部１８と接触してしまい、係合孔３３と第２のボス２５０との係合が妨げられてしまう。これを避けるためには、突出部１８とカバー２５８とが接触する前に、バッテリパック２０９を装着面１７に対して上方に持ち上げなくてはならず、バッテリパック２０９を装着する際の作業性が悪い。
【００９５】
しかしながら本実施形態では、図１７に示すように、一対の第１のボス４９ａ及び４９ｂが一対の側壁２６ａ及び２６ｂ上に載置されるので、カバー５８が装着面１７に対して上方に位置することになる。これによりカバー５８と突出部１８との接触を避けることができ、スムーズに係合孔３３と第２のボス５０とを係合することができる。またカバー５８により突出部１８を覆うことができる。
【００９６】
また、一般的に装着面上には、本実施形態のような突出部１８の他にも構造物が設けられている可能性がある。この場合、バッテリパックを装着面上で移動させると、その構造物とバッテリパックとが接触してしまい、バッテリパックの装着が妨げられる場合がある。すなわち、本実施形態のようなカバー５８が設けられていないバッテリパックが装着される場合でも、バッテリパックを側壁上で移動させる本実施形態の装着方法は効果的である。
【００９７】
一対の側壁２６ａ及び２６ｂに設けられる切り欠き部２７ａ及び２７ｂの位置は、突出部１８の位置や高さ、カバー５８の形状等に応じて適宜設定されてよい。また本実施形態では、側壁２６ａ及び２６ｂが本体１の両側面１３ａ及び１３ｂと一体的な構造となっている。しかしこれに限られず、本体１に設けられる装着部１６の大きさや、装着部１６が設けられる位置に応じて、装着部１６を挟む一対の側壁が設けられ、その一対の側壁に本実施形態と同様な一対の切り欠き部が形成されればよい。本実施形態と同様な第１のボスを有するバッテリパックを、上記の一対の側壁上に沿って移動させ装着部に装着することで、容易にバッテリパックを装着部に装着することができる。
【００９８】
図２１は、バッテリパック９が装着された際の、本体１の後方面３５を示す正面図である。図２１では、装着されたバッテリパック９の内、リリース係合ボス６７及びロック係合ボス７０のみを図示している。バッテリパック９は、図２１で見て上方側から装着部１６に装着される。
【００９９】
図２１（Ａ）に示すように、本体１のリリースボス３７とバッテリパック９のリリース係合ボス６７とが係合される。リリース係合ボス６７のテーパ面６９が、リリースボス３７のテーパ面４０と当接し、リリースボス３７が図２１（Ａ）で見て左側に移動される。リリース係合ボス６７のテーパ面６９が、リリースボス３７のテーパ面４０の下側まで移動すると、右側に付勢されているリリースボス３７が右側に移動する。これによりリリースボス３７とリリース係合ボス６７とが係合される。コネクタ部６８には、図２１（Ａ）には図示しない、バッテリパック９のコネクタ部６８（図１５参照）が接続される。
【０１００】
図２１（Ｂ）に示すように、本体１のロックボス４１とバッテリパック９のロック係合ボス７０とが係合される。バッテリパック９を装着する前に、手動でロックレバー４２を図２１（Ｂ）で見て右側に移動させておく。バッテリパック９が装着部１６に装着されると、バッテリパック９のロック係合ボス７０が、本体１のロック部１２ａに装着される。ロック係合ボス７０が装着されたら、手動でロックレバー４２を左側に移動させ、ロックボス４１とロック係合ボス７０とを係合させる。もう一方のロック部１２ｂでも、同様にしてロックボス４１及びロック係合ボス７０が係合される。これらロック部１２ａ及び１２ｂにより、例えばリリース部１１が破損した場合や、本体１に外力が加えられた場合でも、装着部１６からバッテリパック９が外れてしまうことを防ぐことができる。
【０１０１】
［バッテリパックの取り外し方法］
本実施形態のバッテリパック９を装着部１６から取り外す方法を説明する。まず図３に示す本体の両側面１３ａ及び１３ｂの近傍に設けられたロック部１２ａ及び１２ｂのロックレバー４２を手動で操作する。そして各ロック部１２ａ及び１２ｂにおける本体１のロックボス４１及びバッテリパック９のロック係合ボス７０の係合を解除する（図２１参照）。次に、リリース部１１のリリースレバー３６を手動で操作し、リリースボス３７及びリリース係合ボス６７の係合を解除する。その係合解除の状態のままリリースレバー３６の位置を保持し、装着部１６からバッテリパック９を取り外す。本実施形態では、バッテリパック９の後方側２０を上方に持ち上げ、バッテリパック９を回転させながら装着部１６から取り外す。
【０１０２】
図２２〜図２４は、バッテリパック９が取り外される動作を、側壁２６ｂ側から見た側面図である。図２２（Ａ）に示すように、バッテリパック９の第１のボス４９ｂの平面部５５と、側壁２６ｂに設けられた切り欠き部２７ｂの当接部３０とが当接されている。従ってバッテリパック９は、第１のボス４９ｂ及び当接部３０の当接部分を軸として回転する（図２２（Ａ）に示す矢印参照）。これによりバッテリパック９は回転されながら、前方側１０から後方側２０へ向かう方向に移動されることになる。
【０１０３】
前方側１０から後方側２０へ向かう方向は、図２２（Ｂ）に示すように、装着面１７から突出する突出部１８の係合孔３３から、バッテリパック９の第２のボス５０が抜ける方向である。すなわちバッテリパック９が回転される際に、突出部１８の係合孔３３から第２のボス５０が抜ける方向で、バッテリパック９が移動される。
【０１０４】
図２３（Ａ）及び（Ｂ）に示すように、回転されながら後方側２０に移動された第１のボス４９ｂが、切り欠き部２７ｂの後方側２０に設けられたテーパ面３２及び平面部３１に沿って上方に移動される。この際、第１のボス４９ｂの曲面部５６が、テーパ面３２及び平面部３１に当接されるので、第１のボス４９ｂは回転されながら上方に移動される。そして図２４（Ａ）及び（Ｂ）に示すように、第１のボス４９ｂが切り欠き部２７ｂから外れて、バッテリパック９が装着部１６から取り外される。
【０１０５】
図２５は、比較例として挙げる、第１のボス４９ａ及び４９ｂが設けられていないバッテリパック３０９を示す図である。第１のボス４９ｂが設けられていないバッテリパック３０９は、本実施形態のバッテリパック９のように第１のボス４９ｂ及び当接部３０の当接部分を軸として回転されない。従って図２６に示すように、例えば、突出部１８の係合孔３３に係合した第２のボス３５０が、回転方向で係合孔３３と引っ掛かってしまう場合がある（図２６の第２のボス３５０に示した矢印参照）。又はカバー３５８の先端３５９が、装着部１６の前方側１０の部分７９に引っ掛かる場合も考えられる（図２６のカバー３５８の先端３５９に示した矢印参照）。これによりバッテリパック３０９の回転が妨げられ、バッテリパック３０９を装着部１６から取り外すことができなくなる。無理にでもバッテリパック３０９を取り外そうとすると、上記した係合孔３３及び第２のボス３５０の引っ掛かり部分や、カバー３５８の先端３５９及び装着部１６の部分７９の引っ掛かかり部分等が破壊されてしまう。
【０１０６】
一方、本実施形態では、図２２〜図２４に示すように、切り欠き部２７ｂの当接部３０に第１のボス４９ｂが当接しており、バッテリパック９が回転する際に、係合孔３３から第２のボス５０が抜ける方向にバッテリパック９が移動される。これにより、回転方向での係合孔３３及び第２のボス５０の引っ掛かり等を防ぐことができる。電子機器１００の使用者からすれば、バッテリパック９を回転させるだけで、上記のようにバッテリパック９が移動され装着部１６から容易に取り外される。すなわちバッテリパック９を取り外す際の作業性がよい。
【０１０７】
切り欠き部２７ｂの形状や第１のボス４９ｂの形状は、例えば突出部１８の形状や位置、係合孔３３の大きさ、第２のボス５０の形状や位置、又はカバー５８の形状等により適宜設定されてよい。例えば本実施形態では、図２２〜図２４等に示すように、第１のボス４９ｂの前方側１０には平面部５５が設けられている。しかしながらこの形状に限られず、第１のボス４９ｂの前方側１０の形状が、例えばバッテリパック９が装着部１６に装着された際に切り欠き部２７ｂの当接部３０に当接される部分のみが平面状となる形状であってもよい。
【０１０８】
第１のボス４９ｂの後方側２０の形状も適宜設定されてよい。本実施形態では、第１のボス４９ｂの後方側２０に曲面部５６が設けられる。しかしながらこの形状に限られず、例えば第１のボス４９ｂを側面４８ｂから見た場合の後方側２０の形状が、弧状に近い多角形状となってもよい。
【０１０９】
また、バッテリパック９が装着部１６に装着された状態では、第１のボス４９ｂ及び当接部３０が当接されていなくてもよい。バッテリパック９が回転されながら取り外される際に、第１のボス４９ｂ及び当接部３０が当接され、係合孔３３から第２のボス５０が抜ける方向に、バッテリパック９が移動されてもよい。
【０１１０】
＜変形例＞
本発明は上述の実施形態にのみ限定されるものではなく、本発明の要旨を逸脱しない範囲内において種々変更され得る。
【０１１１】
例えば、図２６は、図１０に示すバッテリパック９の変形例を示した図である。このバッテリパック９では、収容板７５の領域７７ａに２次電池４５２ｂが２つ内蔵され、同様に領域７７ｂに２次電池４５２ｂが２つ内蔵される。各２次電池４５２ａ及び４５２ｂは、配線板金４５４により、制御基板５３に電気的に接続される。２次電池４５２ａ及び４５２ｂは、図１０に示す２次電池５２ａ及び５２ｂよりも面積が小さいものである。
【０１１２】
このように、第１の筐体部４５ａ及び４５ｂ（電池収容部４５’ａ及び４５’ｂ）の内部に、面積の小さい２次電池４５２ａ及び４５２ｂを複数内蔵させることで、バッテリパック９の容量の低下を防ぐこともできる。第１の筐体部４５ａ及び４５ｂ（電池収容部４５’ａ及び４５’ｂ）に内蔵される２次電池の面積の大きさや数は、所望の電力が得られるように、適宜設定されればよい。例えば第１の筐体部４５ａ及び４５ｂ（電池収容部４５’ａ及び４５’ｂ）の少なくとも１つに２次電池が収容されてもよい。また、バッテリパック９の内部に内蔵される２次電池及び制御基板を電気的に接続させる際に、本実施形態のように配線板金５４（４５４）が用いられなくてもよい。例えば２次電池及び制御基板を直接当接させて、両者を電気的に接続させてもよい。
【０１１３】
図２７は、図９に示すバッテリパック９の変形例を示す図である。図２７（Ａ）に示すバッテリパック５０９は、一方の側面５４８ｂ側に配置された第２の筐体部５４６と、第２の筐体部５４６に隣接する面積の大きい第１の筐体部５４５とを有する。図２７（Ｂ）に示すバッテリパック６０９は、３つの第１の筐体部６４５ａ、６４５ｂ及び６４５ｃと、それらに挟まれた２つの第２の筐体部６４６ａ及び６４６ｂとを有している。
【０１１４】
図２７（Ａ）及び（Ｂ）に示すように、例えば第１の筐体部の面積の大きさ、第１の筐体部及び第２の筐体部の数、又は第１の筐体部と第２の筐体部との配置関係等は適宜設定されてよい。これらは、電子機器に配置される他の部材や、バッテリパックが装着される位置に応じて適宜設定される。また第１の筐体部及び第２の筐体部が直線状に並んでいない、例えばＬ字状の平面形状を有するバッテリパックも考えられる。
【０１１５】
図２８は、図１４に示す補強部材５１の変形例を示す図である。図２８（Ａ）に示す補強部材７５１は、図１４に示す補強部材５１の第１の連結部６３ａ及び６３ｂの形状が変形したものである。補強部材７５１の第１の連結部７６３ａ及び７６３ｂは、第１の補強部７６１ａ及び７６１ｂにそれぞれ連結される。また第１の連結部７６３ａ及び７６３ｂは、第２の連結部７６４にそれぞれ連結される。第１の連結部７６３ａ、７６３ａ及び第２の連結部７６４で、第２の補強部７６２となる。
【０１１６】
図２７（Ｂ）に示す補強部材８５１では、第１の補強部８６１ａ及び８６１ｂとそれぞれ連結される第１の連結部８６３ａ及び８６３ｂが、互いに連結されている。すなわち、この補強部材８５１の第２の補強部８６２は、第１の連結部８６３ａ及び８６３ｂからなる。
【０１１７】
上記で説明した実施形態では、本発明をノート型パーソナルコンピュータに適用する例を示した。しかし、これに限定されず、本発明は、着脱可能なバッテリパックが用いられる他の電子機器に適用可能である。
【符号の説明】
【０１１８】
１…本体
２…表示部
４…本体の表側
５…キーボード
６ａ、６ｂ…パームレスト部
７…ポインティングデバイス
８…本体の裏側
９、５０９、６０９…バッテリパック
１６…装着部
１７…装着面
１８…突出部
２６ａ、２６ｂ…本体の側壁
２７ａ、２７ｂ…切り欠き部
３０…当接部
３３…係合孔
４５ａ、４５ｂ、５４５、６４５ａ、６４５ｂ、６４５ｃ…第１の筐体部
４５’ａ、４５’ｂ…電池収容部
４６、５４６、６４６ａ、６４６ｂ…第２の筐体部
４６’…凹部
４８ａ、４８ｂ…バッテリパックの側面
４９ａ、４９ｂ…第１のボス
５０…第２のボス
５１、７５１、８５１…補強部材
５２ａ、５２ｂ、４５２ａ、４５２ｂ…２次電池
５３…制御基板
５８…カバー
６１ａ、６１ｂ、７６１ａ、７６１ｂ、８６１ａ、８６１ｂ…第１の補強部
６２、７６２、８６２…第２の補強部
６３ａ、６３ｂ、７６３ａ、７６３ｂ、８６３ａ、８６３ｂ…第１の連結部
６４、７６４…第２の連結部
６８…バッテリパックのコネクタ部
１００…電子機器
【図１】
0005531503.tif 000002
【図２】
0005531503.tif 000003
【図３】
0005531503.tif 000004
【図４】
0005531503.tif 000005
【図５】
0005531503.tif 000006
【図６】
0005531503.tif 000007
【図７】
0005531503.tif 000008
【図８】
0005531503.tif 000009
【図９】
0005531503.tif 000010
【図１１】
0005531503.tif 000011
【図１２】
0005531503.tif 000012
【図１３】
0005531503.tif 000013
【図１４】
0005531503.tif 000014
【図１５】
0005531503.tif 000015
【図１６】
0005531503.tif 000016
【図１７】
0005531503.tif 000017
【図１８】
0005531503.tif 000018
【図１９】
0005531503.tif 000019
【図２０】
0005531503.tif 000020
【図２１】
0005531503.tif 000021
【図２２】
0005531503.tif 000022
【図２３】
0005531503.tif 000023
【図２４】
0005531503.tif 000024
【図２５】
0005531503.tif 000025
【図２７】
0005531503.tif 000026
【図２８】
0005531503.tif 000027
【図１０】
0005531503.tif 000028
【図２６】
0005531503.tif 000029